(57)【要約】【課題】手動排出及び電動排出を選択可能とすることでフレキシビリティーを高くし、電動排出が可能なソケットを小さいスペースで構成することでスペース効率を良くし、二段重ねのソケット本体で一つの駆動源を共有することでコストを下げることを可能とする。【解決手段】記憶媒体１００６は、筐体に内蔵した電子部品と電気的に接続された第一のコネクタ１００６ｂを有し、ソケット本体Ａ２は、記憶媒体１００６の収納時に第一のコネクタ１００６ｂと嵌合し電気的接続を行う第二のコネクタ１００３、両コネクタの嵌合を解除し記憶媒体１００６を排出する排出機構、排出機構に駆動力を伝達する伝達部材１０１４を有し、駆動源Ａ１は、パルスモータ１０１３、ソケット本体Ａ２に着脱するためのネジ１０４１ａ、１０４１ｂ、パルスモータ１０１３の動力供給を受け伝達部材１０１４に駆動力を伝達するカム付きギア１０２８を有する。【選択図】　　　図４
2004030078.tif 000002
【特許請求の範囲】
【請求項１】
記憶媒体を着脱可能に収納するソケット本体と、前記ソケット本体に着脱可能な駆動源とを備えた記憶媒体収納用ソケットであって、
前記記憶媒体は、筐体に内蔵した電子部品と電気的に接続された媒体側コネクタを有し、
前記ソケット本体は、前記記憶媒体の収納時に前記媒体側コネクタと嵌合し電気的接続を行う本体側コネクタと、前記両コネクタの嵌合を解除し前記記憶媒体を排出する排出手段と、前記排出手段に駆動力を伝達する伝達手段とを有し、
前記駆動源は、動力供給源と、前記ソケット本体に着脱するための機械的着脱手段と、前記動力供給源の動力供給を受け前記伝達手段に駆動力を伝達する係合手段とを有することを特徴とする記憶媒体収納用ソケット。
【請求項２】
前記ソケット本体の前記伝達部材は、更に、被伝達部と、手動イジェクトボタンとを有し、
前記記憶媒体を収納した前記ソケット本体に前記駆動源を装着した状態で、前記駆動源から前記被伝達部に駆動力を伝達し前記伝達部材を変位させ前記記憶媒体を排出する電動排出と、前記イジェクトボタンの押下に伴い前記伝達部材を変位させ前記記憶媒体を排出する手動排出とを選択可能であることを特徴とする請求項１に記載の記憶媒体収納用ソケット。
【請求項３】
前記駆動源は、更に、前記係合手段の位置を検出する位置検出手段を有し、
前記位置検出手段による位置検出情報に基づき前記動力供給源を制御し前記電動排出を行うことを特徴とする請求項１又は２に記載の記憶媒体収納用ソケット。
【請求項４】
前記駆動源は、更に、電気的着脱手段を有し、前記駆動源が、前記機械的着脱手段及び前記電気的着脱手段により前記ソケット本体に機械的及び電気的に着脱可能であることを特徴とする請求項１乃至３の何れかに記載の記憶媒体収納用ソケット。
【請求項５】
前記駆動源の前記動力供給源及び前記位置検出手段が、前記電気的着脱手段により前記ソケット本体の前記本体側コネクタが実装された基板に電気的に接続されることを特徴とする請求項１乃至４の何れかに記載の記憶媒体収納用ソケット。
【請求項６】
前記駆動源の前記電気的着脱手段は、コネクタ及び可僥性のケーブルより構成されることを特徴とする請求項４又は５に記載の記憶媒体収納用ソケット。
【請求項７】
記憶媒体を着脱可能に収納する第一の挿入口及び第二の挿入口を有するソケット本体と、前記ソケット本体に着脱可能な駆動源とを備えた記憶媒体収納用ソケットであって、
前記記憶媒体は、筐体に内蔵した電子部品と電気的に接続された媒体側コネクタを有し、
前記ソケット本体は、前記第一の挿入口に対する前記記憶媒体の収納時に前記媒体側コネクタと嵌合し電気的接続を行う第一の本体側コネクタと、前記両コネクタの嵌合を解除し前記記憶媒体を排出する第一の排出手段と、前記排出手段に駆動力を伝達する第一の伝達手段と、前記第二の挿入口に対する前記記憶媒体の収納時に前記媒体側コネクタと嵌合し電気的接続を行う第二の本体側コネクタと、前記両コネクタの嵌合を解除し前記記憶媒体を排出する第二の排出手段と、前記排出手段に駆動力を伝達する第二の伝達手段とを有し、
前記駆動源は、動力供給源と、前記ソケット本体に着脱するための機械的着脱手段と、前記動力供給源の動力供給を受け前記第一の伝達手段に駆動力を伝達する第一の係合手段と、前記動力供給源の動力供給を受け前記第二の伝達手段に駆動力を伝達する第二の係合手段とを有し、
前記記憶媒体を収納した前記ソケット本体に前記駆動源を装着した状態で、前記第一の係合手段より前記第一の伝達部材に、又は前記第二の係合手段により前記第二の伝達部材に、選択的に駆動力を伝達することを特徴とする記憶媒体収納用ソケット。
【請求項８】
前記ソケット本体は、前記第一の挿入口を有する一段目のソケット本体と、前記第二の挿入口を有し前記一段目のソケット本体と少なくとも略同一形状の二段目のソケット本体とに分割可能であり、
前記駆動源の前記第一の係合手段と前記第二の係合手段とが分割可能であることを特徴とする請求項７に記載の記憶媒体収納用ソケット。
【請求項９】
前記駆動源は、前記動力供給源から駆動力を前記第一の係合手段と前記第二の係合手段のどちらかに選択的に伝達するための駆動切り替え手段を有し、
前記駆動切り替え手段により、前記動力供給源から伝達する回転力の回転方向に応じて前記第一の係合手段又は前記第二の係合手段に対する前記駆動力の伝達を切り替えることを特徴とする請求項７又は請求項８に記載の記憶媒体収納用ソケット。
【請求項１０】
前記請求項１乃至９の何れかに記載の記憶媒体収納用ソケットに収納された記憶媒体を外部記憶媒体として使用可能な情報処理装置であって、
前記記憶媒体収納用ソケットが着脱自在に接続される接続手段と、前記接続手段に接続された前記記憶媒体収納用ソケット及び前記記憶媒体に対する電力供給、電気的制御を行うと共に、前記記憶媒体に対するデータの書き込み、読み出しを行う中央処理装置とを有することを特徴とする情報処理装置。
【発明の詳細な説明】
【０００１】
【発明の属する技術分野】
本発明は、記憶媒体収納用ソケット及び情報処理装置に関し、特に、ハードディスクや半導体メモリ等の記憶媒体を収納し、駆動源からの駆動力又は手動による力によって記憶媒体を排出する記憶媒体収納用ソケット及び情報処理装置に関する。
【０００２】
【従来の技術】
一般にコンピュータ等の電子機器の拡張性を高めるために、必要に応じて各種の記憶媒体を外部記憶装置として電子機器に接続するための各種のソケットが開発されている。前記記憶媒体接続用のソケットとしては、例えばＰＣＭＣＩＡ（Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）ソケットがある。ＰＣＭＣＩＡソケットとは、近年のノートパソコン等の電子機器が有するＰＣカードスロットルに規格の異なる記憶媒体を挿入する際に使用される拡張用ソケットである。また、電子機器の制御基板に実装し記憶媒体を直接電子機器に挿入できるようにし、記憶媒体の専用スロットルを構成するためのソケットもある。
【０００３】
以上のようなソケットの中には、
▲１▼手動イジェクトボタンを押すことで、ソケット内に収納された記憶媒体をソケットの排出手段により押圧し排出するものや、
▲２▼特願平７−１５４６５３号公報のように、駆動源によってソケット内の記憶媒体を排出する、つまり電動排出が可能であるものや、
▲３▼特願平７−４１０４０号公報のように、ソケットにスロットルを二つ有し記憶媒体を二個挿入できるといった特徴を有するものがある。
【０００４】
【発明が解決しようとする課題】
しかしながら、上記従来技術においては次のような問題があった。上記▲１▼においては、もともとソケットは手動による取り出しにしか対応していないため、新たに駆動源を追加し電動排出を実現しようとしても対応することができない、又は電動排出の実現が非常に困難であった。上記▲２▼においては、駆動源とソケットが分離不可能で駆動源を収納できる大きさの外装となっているため、手動排出しか行わない際に、ソケットから駆動源を取り払っても外装が大きいままであり、無駄なスペースをとる。上記▲３▼においては、二つのスロットルを形成する各ソケットが分割不可能な構成になっており、また駆動源が各ソケットにそれぞれ必要であった。
【０００５】
本発明は、上述した点に鑑みなされたものであり、手動排出及び電動排出を選択的に選べるようにすることでフレキシビリティーを高くし、電動排出が可能なソケットを小さいスペースで構成することでスペース効率を良くし、二段重ねのソケット本体において一つの駆動源を共有することでコストを下げることを可能とした記憶媒体収納用ソケット及び情報処理装置を提供することを目的とする。
【０００６】
【課題を解決するための手段】
上記目的を達成するため、本発明は、記憶媒体を着脱可能に収納するソケット本体と、前記ソケット本体に着脱可能な駆動源とを備えた記憶媒体収納用ソケットであって、前記記憶媒体は、筐体に内蔵した電子部品と電気的に接続された媒体側コネクタを有し、前記ソケット本体は、前記記憶媒体の収納時に前記媒体側コネクタと嵌合し電気的接続を行う本体側コネクタと、前記両コネクタの嵌合を解除し前記記憶媒体を排出する排出手段と、前記排出手段に駆動力を伝達する伝達手段とを有し、前記駆動源は、動力供給源と、前記ソケット本体に着脱するための機械的着脱手段と、前記動力供給源の動力供給を受け前記伝達手段に駆動力を伝達する係合手段とを有することを特徴とする。
【０００７】
また、本発明は、記憶媒体を着脱可能に収納する第一の挿入口及び第二の挿入口を有するソケット本体と、前記ソケット本体に着脱可能な駆動源とを備えた記憶媒体収納用ソケットであって、前記記憶媒体は、筐体に内蔵した電子部品と電気的に接続された媒体側コネクタを有し、前記ソケット本体は、前記第一の挿入口に対する前記記憶媒体の収納時に前記媒体側コネクタと嵌合し電気的接続を行う第一の本体側コネクタと、前記両コネクタの嵌合を解除し前記記憶媒体を排出する第一の排出手段と、前記排出手段に駆動力を伝達する第一の伝達手段と、前記第二の挿入口に対する前記記憶媒体の収納時に前記媒体側コネクタと嵌合し電気的接続を行う第二の本体側コネクタと、前記両コネクタの嵌合を解除し前記記憶媒体を排出する第二の排出手段と、前記排出手段に駆動力を伝達する第二の伝達手段とを有し、前記駆動源は、動力供給源と、前記ソケット本体に着脱するための機械的着脱手段と、前記動力供給源の動力供給を受け前記第一の伝達手段に駆動力を伝達する第一の係合手段と、前記動力供給源の動力供給を受け前記第二の伝達手段に駆動力を伝達する第二の係合手段とを有し、前記記憶媒体を収納した前記ソケット本体に前記駆動源を装着した状態で、前記第一の係合手段より前記第一の伝達部材に、又は前記第二の係合手段により前記第二の伝達部材に、選択的に駆動力を伝達することを特徴とする。
【０００８】
また、本発明は、前記記憶媒体収納用ソケットに収納された記憶媒体を外部記憶媒体として使用可能な情報処理装置であって、前記記憶媒体収納用ソケットが着脱自在に接続される接続手段と、前記接続手段に接続された前記記憶媒体収納用ソケット及び前記記憶媒体に対する電力供給、電気的制御を行うと共に、前記記憶媒体に対するデータの書き込み、読み出しを行う中央処理装置とを有することを特徴とする。
【０００９】
【発明の実施の形態】
以下、本発明の実施の形態を図面に基づいて詳細に説明する。
【００１０】
［第１の実施の形態］
＜記憶媒体収納用ソケットの構成＞
先ず、本発明の第１の実施の形態を説明する。図１は第１の実施の形態に係る記憶媒体収納用ソケットを構成する記憶媒体１００６及びソケット本体Ａ２を上面側から見た場合の斜視図、図２は記憶媒体１００６及びソケット本体Ａ２を背面側から見た場合の斜視図である。以下では記憶媒体１００６及びソケット本体Ａ２の詳細構成を図１、図２を用いて説明する。記憶媒体収納用ソケットは、例えばパーソナルコンピュータ等の情報処理装置の外部記憶媒体として使用されるものである。尚、情報処理装置の構成は図８で後述する。記憶媒体１００６は、筐体の内部に電子部品を内蔵し、筐体の前面（挿入側）には該電子部品と電気的に接続された第一のコネクタ１００６ｂを有する。
【００１１】
一方、ソケット本体Ａ２は、挿入口を介して記憶媒体１００６を着脱自在に収納することができ、記憶媒体１００６を完全に収納した状態で、記憶媒体１００６の第一のコネクタ１００６ｂと嵌合する第二のコネクタ１００３を有する。ソケット本体Ａ２の第二のコネクタ１００３は、ソケット本体Ａ２の子基板１０４３上に半田で実装されている。子基板１０４３は、第二のコネクタ１００３と変形自在のフレキシブルケーブル１００２を導通させ、更に、フレキシブルケーブル１００２は、外部接続用のコネクタ１００１と導通されている。コネクタ１００１を例えば情報処理装置（図８参照）等の他の電子機器に接続すれば、ソケット本体Ａ２に収納され且つ第一のコネクタ１００６ｂを介して第二のコネクタ１００３と嵌合した記憶媒体１００６は、該電子機器とデータの授受が可能となる。
【００１２】
ソケット本体Ａ２は、ソケット本体内に収納した記憶媒体１００６を図中−Ｘ方向に排出するための排出機構を有する。排出機構は、外部から駆動力を取りこむための伝達部材１０１４と、前記伝達部材１０１４と一体に形成され手動で記憶媒体１００６を排出するための手動イジェクトボタン１０１５と、伝達部材１０１４と係合して回転する回転板金１００８と、その回転力によってスライドするスライド板金１０１９から構成される。手動イジェクトボタン１０１５を押すと、図１に示すように、伝達部材１０１４は、ガイド１０２１ａ、１０２１ｂ、１０２１ｃ、１０２１ｄにより二側面を挟まれた状態で案内され、伝達部材１０１４の一部に一体になって曲げ起こされた曲げ部１０３５とソケット本体Ａ２側のボス１０３６との間に張設したバネ１００７による−Ｘ方向の付勢力に逆らってＸ方向に動く。
【００１３】
図２に示すように、伝達部材１０１４は、コの字状の係合部１０２４ａ、１０２４ｂを有する。係合部１０２４ａは、ソケット本体Ａ２のボス１０２５を中心として回転する回転板金１００８の係合部１０３７を押圧し回転力を伝達する。更に、回転板金１００８の曲線状の第二の係合部１０３８は、ガイド部１０２２によって案内され、Ｘ、−Ｘ方向に平行移動可能なスライド板金１０１９のコの字状に曲げ起こされた係合部１０３９を押圧し−Ｘ方向に変位させる。図１に示すように、スライド板金１０１９には、記憶媒体１００６がソケット本体Ａ２に収納された際に記憶媒体１００６の第一のコネクタ１００６ｂの一側面と接する位置に設けられた左右対の曲げ部１０２３ａ、１０２３ｂが配設されている。曲げ部１０２３ａ、１０２３ｂは、スライド板金１０１９が−Ｘ方向にスライドすると共に第一のコネクタ１００６ｂを押圧することで記憶媒体１００６を−Ｘ方向に押し出す。
【００１４】
以上のようにソケット本体Ａ２から記憶媒体１００６の排出を終え手動イジェクトボタン１０１５を離すと、バネ１００７の付勢力によって伝達部材１０１４が−Ｘ方向に変位し、係合部１０２４ｂが回転板金１００８の係合部１０３７を係合部１０２４ａとは反対側から押圧し回転させることで、回転板金１００８は元の状態に戻る。スライド板金１０１９は特にバネ等によって付勢されていないので元には戻らず、再び記憶媒体１００６が進入してきたときに押し戻される。
【００１５】
＜記憶媒体収納用ソケットの駆動源＞
上記ではソケット本体Ａ２から記憶媒体１００６を手動で排出する場合に関しての例を示したが、ソケット本体Ａ２の排出機構は、ソケット本体Ａ２の側面に装着される駆動源Ａ１（図３）によって駆動させることもできる。
【００１６】
次に、駆動源Ａ１による排出機構の駆動及び駆動源Ａ１のソケット本体Ａ２への機械的、電気的着脱方法について図３、図４、図５、及び図６を用いて説明する。図３は駆動源Ａ１の構成を示す斜視図、図４は駆動源Ａ１がソケット本体Ａ２に装着されたときの様子を示す斜視図、図５（Ａ）、図５（Ｂ）は駆動源Ａ１のソケット本体Ａ２への機械的、電気的着脱状態を示す概略図、図６（Ａ）はソケット本体Ａ２に記憶媒体１００６が収納されたときの様子を示す斜視図、図６（Ｂ）はソケット本体Ａ２が記憶媒体１００６を排出したときの様子を示す斜視図である。
【００１７】
図３に示すように、駆動源Ａ１のパルスモータ１０１３は、軸１０３０ａ、１０３０ｂが加締められている固定板金１０２７にネジ（図示略）止め固定されている。パルスモータ１０１３の回転軸にはウォームギア１０２５が圧入されており、ウォームギア１０２５は、前記回転軸と一体となって回転する。ウォームギア１０２５は、上段の平歯車１０２６ｂと下段のウォームホイール１０２６ａが一体になって構成されており、軸１０３０ａを回転軸として回転する中間歯車１０２６のウォームホイール１０２６ａに回転力を伝達する。更に、ウォームホイール１０２６ａに伝達された回転力によって上段の平歯車１０２６ｂが回転する。カム付きギア１０２８は、上段のカム１０２８ｂと中段の平歯車１０２８ａと下段のカム１０２８ｃが一体となって構成されており、軸１０３０ｂを回転軸として回転する。平歯車１０２６ｂは、カム付きギア１０２８の平歯車１０２８ａと噛合し、駆動力を伝える。これにより、カム１０２８ｂ及びカム１０２８ｃが回転する。
【００１８】
また、駆動源Ａ１は、図４に示すように、ソケット本体Ａ２の側面に装着される（詳細は後述する）ので、駆動源Ａ１がソケット本体Ａ２に装着された状態で上記のようにカム１０２８ｂが回転すると、カム１０２８ｂの形状で決まるある位置範囲において、ソケット本体Ａ２の伝達部材１０１４の被伝達部１０１８に圧入固定された軸１０３０に回転可能に支持されたローラ１０３３に力を伝達する。ローラ１０３３に伝達した力は、被伝達部１０１８そして伝達部材１０１４に伝わり、手動イジェクトボタン１０１５が押された場合と同様に、伝達部材１０１４が図４中のＸ方向に変位し記憶媒体１００６をソケット本体Ａ２から排出する。
【００１９】
また、手動イジェクトボタン１０１５が押されて伝達部材１０１４がＸ方向に変位すると、ローラ１０３３はカム１０２８ｂから離れる方向に変位するため、駆動源Ａ１がソケット本体Ａ２に装着された状態でも手動にて伝達部材１０１４を独立して変位させることもできる。手動イジェクトボタン１０１５を用いた、ソケット本体Ａ２からの記憶媒体１００６の手動排出は、カム１０２８ｂの位置によらず常に行うことができるので、何らかの原因で駆動源Ａ１が故障し記憶媒体１００６をソケット本体Ａ２から取り出せなくなったときの緊急イジェクト用に使用する。
【００２０】
次に、駆動源Ａ１のソケット本体Ａ２への電機的及び機械的な着脱方法について図５（Ａ）、図５（Ｂ）を用いて説明する。図５（Ａ）、図５（Ｂ）はソケット本体Ａ２が情報処理装置等の電子機器のメインボード１０３７に装着及び離脱された様子を示す概略図である。ただし、電子機器は説明の便宜上メインボード１０３７のみを示した。図５（Ａ）において、ソケット本体Ａ２の子基板１０４３に実装されたコネクタ１０４４がフレキシブルケーブル１００２及びコネクタ１００１と導通され、コネクタ１００１がメインボード１０３７上に実装されたコネクタ１０３８と嵌合すると、ソケット本体Ａ２に収納された記憶媒体１００６は、メインボード１０３７と電気的に接続され、電子機器との間のデータの授受、及び電子機器からの電力の供給、電気的制御を受ける。
【００２１】
一方、ソケット本体Ａ２のコネクタ１０４４は、記憶媒体１００６の第一のコネクタ１００６ｂと嵌合する第二のコネクタ１００３が実装された子基板１０４３上に実装されており、第二のコネクタ１００３と電気的接続を行う。更に、子基板１０４３上には、コネクタ１０３９が実装されており、同じくコネクタ１０４４及び第二のコネクタ１００３と接続される。
【００２２】
図５（Ａ）は駆動源Ａ１がソケット本体Ａ２に装着された状態を表している。
上述しなかったが、駆動源Ａ１は、電気的にソケット本体Ａ２または子基板１０４３またはメインボード１０３７と接続するために、子基板１０４３上のコネクタ１０３９と嵌合するコネクタ１０４０を有する。駆動源Ａ１のコネクタ１０４０は、駆動源Ａ１内のパルスモータ１０１３及びマイクロスイッチ１０２９とケーブルを介して電気的に接続されている。ソケット本体Ａ２の子基板１０４３のコネクタ１０３９は、図５（Ａ）では、ソケット本体Ａ２の第二のコネクタ１００３と同じ側に実装されているが、駆動源Ａ１のコネクタ１０４０と接続したケーブルが変形自在で且つ十分な長さがあれば、子基板１０４３上のどこに有っても構わない。
【００２３】
また、駆動源Ａ１は、ソケット本体Ａ２の筐体に一体に形成されタップ穴の空いたボス１０４２ａ及びボス１０４２ｂに駆動源Ａ１側のネジ１０４１ａ及び１０４１ｂが入ることで、駆動源Ａ１の固定板金１０２７を挟むようにネジ止め固定されている。駆動源Ａ１におけるマイクロスイッチ１０２９及びパルスモータ１０１３は、上述の通り、ソケット本体Ａ２の子基板１０３９を経由してメインボード１０３７と接続される。従って、メインボード１０３７は、駆動源Ａ１のマイクロスイッチ１０２９による検出情報に基づきパルスモータ１０１３を制御することができる。
【００２４】
また、駆動源Ａ１におけるマイクロスイッチ１０２９及びパルスモータ１０１３は、ソケット本体Ａ２の子基板１０４３を介して記憶媒体１００６とも接続されているため、例えば、記憶媒体１００６がＣＰＵを搭載するなどして情報処理能力を有する場合は、記憶媒体１００６からの制御により駆動源Ａ１を駆動することも可能である。その場合、メインボード１０３７からソケット本体Ａ２内の記憶媒体１００６へ電流が供給され、更に、ソケット本体Ａ２内の記憶媒体１００６が駆動源Ａ１へ電流を供給する。
【００２５】
図５（Ｂ）は駆動源Ａ１がソケット本体Ａ２から分離された時の様子を表している。ソケット本体Ａ２から駆動源Ａ１を分離する際には、まず、ソケット本体Ａ２のコネクタ１０３９から駆動源Ａ１のコネクタ１０４０を分離する。この状態で、駆動源Ａ１はソケット本体Ａ２及びメインボード１０３７と電気的に切り離される。その後、駆動源Ａ１のネジ１０４１ａ、１０４１ｂを緩める方向に回すことで、駆動源Ａ１はソケット本体Ａ２と完全に分離される。上記のように、駆動源Ａ１は電気的及び機械的にソケット本体Ａ２に着脱自在となっている。以上のように、駆動源Ａ１はソケット本体Ａ２に装着され、ソケット本体Ａ２を駆動し記憶媒体１００６の排出を行う。
【００２６】
次に、ソケット本体Ａ２からの記憶媒体１００６の排出に関して図６（Ａ）、図６（Ｂ）を用いて詳細に説明する。尚、両図では上述の駆動源Ａ１のコネクタ１０４０及び配線に関しては説明の便宜上示していない。図６（Ｂ）に示すように、駆動源Ａ１のローラ１０３３をＸ方向に押圧する位置範囲でカム１０２８ｂが停止してしまうと、記憶媒体１００６をソケット本体Ａ２に挿入しても伝達部材１０１４がＸ方向に変位した位置で停止してしまい、スライド板金１０１９（図４参照）が戻ることができず、記憶媒体１００６をソケット本体Ａ２に収納できなくなる。そのため、ソケット本体Ａ２から排出した記憶媒体１００６を再びソケット本体Ａ２に挿入するときには、図６（Ａ）に示すように、カム１０２８ｂがローラ１０３３と干渉しない位置で停止するよう制御する。
【００２７】
上記図３及び図４を用いて説明すると、駆動源Ａ１のパルスモータ１０１３が始動し、カム１０２８ｂが回転を始め、やがてローラ１０３３を押圧し、記憶媒体１００６をソケット本体Ａ２から押し出す。その後、カム１０２８ｃがマクロスイッチ１０２９を押しマイクロスイッチ１０２９がＯＮになる。そのままカム１０２８ｃが回り続けて、マイクロスイッチ１０２９が再びＯＮになる。その後、カム１０２８ｃを所定の角度回転した位置、つまりカム１０２８ｂの始動前の位置で停止させる。このようにカム１０２８ｂを制御することで、ソケット本体Ａ２からの記憶媒体１００６の排出動作を完了でき、且つ再び記憶媒体１００６をソケット本体Ａ２に挿入できる状態を維持できる。
【００２８】
尚、カム１０２８ｂとカム１０２８ｃは一体となっているため、カム１０２８ｃがマイクロスイッチ１０２９によって検出された位置から何度回転すれば、カム１０２８ｂと初期位置のローラ１０３３の可動範囲が干渉しない位置にあたるかは自動的に定まる。従って、本実施の形態のように駆動源Ａ１にパルスモータ１０１３を用いれば、パルスモータ１０１３に送るパルス数を変えるだけの簡単な操作でカム１０２８ｂの停止位置を制御できるので、カム１０２８ｂとカム１０２８ｃの回転方向の相対的位置は任意でも構わない。つまり、本実施の形態における制御においては、マイクロスイッチ１０２９の２度目の位置検出から何度回転させてカム１０２８ｂを停止するかが変わるだけである。
【００２９】
また、駆動源Ａ１のパルスモータ１０１３の制御はマイクロスイッチ１０２９を用いなくても実現することができる。これは、ソケット本体Ａ２の第二のコネクタ１００３と記憶媒体１００６の第一のコネクタ１００６ｂが嵌合しているのか、嵌合していないのかという有り無し検知ができる場合に可能となる。ソケット本体Ａ２の第二のコネクタ１００３は、前記有り無し検知及びその検知した情報に基づきパルスモータ１０１３を制御することが可能な図５に示すような電子機器のメインボード１０３７のコネクタ１０３８に接続されている。
【００３０】
＜カム線図＞
図７は上記図４における駆動源Ａ１のカム１０２８ｂのカム線図を示す概略図である。以下では図７、及び図４、図５、図９を用いて説明を行う。図７の横軸は、カム１０２８ｂの軸１０３０に垂直な断面におけるカム１０２８ｂの回転中心とローラ１０３３の回転中心を結んだ線分と、カム１０２８ｂを前記断面で切断したときカム１０２８ｂの稜線上の一点とカム１０２８ｂの回転中心を結んだ線分が成す角（度）を表している。図７の縦軸は、前記成す角に対するカム１０２８ｂのローラ１０３３への図４Ｘ方向への押出し量（ｍｍ）を表している。成す角０度の時には、ローラ１０３３とカム１０２８ｂは接するかまたは干渉せず、押出し量は０ｍｍである。また、成す角がＹ度の時は、カム１０２８ｂはローラ１０３３をＸ方向に最大変位Ｚｍｍを与えている時である。
【００３１】
図７のＳ１は、ソケット本体Ａ２から記憶媒体１００６の排出を行う際の排出動作角度範囲、及び、電子機器においてそのメインボード１０３７と記憶媒体１００６が電気的に接続を断った状態の嵌合終了検知角度範囲を表している。図７のＳ２は、駆動源Ａ１のカム１０２８ｂを前記嵌合終了位置からホームポジションへ遷移させるカム１０２８ｃの所定量回転角度範囲を表している。図７のＳ３は、カム１０２８ｂがローラ１０３３に変位を与えていないホームポジション角度範囲を表している。
【００３２】
駆動源Ａ１における制御を具体的に説明すると、カム１０２８ｂが図７のＳ３の範囲において排出命令を受けた駆動源Ａ１のパルスモータ１０１３は所定の方向に回転を開始する。すると、カム１０２８ｂが回転を開始する。回転方向は図７において角度が増加する方向である。ソケット本体Ａ２から記憶媒体１００６の排出動作が完了するまでの図７のＳ１内で、ソケット本体Ａ２の第二のコネクタ１００３及びそれと接続したコネクタ１０３８を有するメインボード１０３７にて嵌合終了の検出を行う。その後、図７のＳ２においてメインボード１０３７は駆動源Ａ１のパルスモータ１０１３に所定のパルス数を送り、カム１０２８ｂの位置制御を行う。この所定パルス数というのは、嵌合終了位置、つまりカム１０２８ｂとローラ１０３３が干渉している位置から、確実にカム１０２８ｂがホームポジションに遷移するのに十分な角度を与えるパルス数である。また、前記所定パルス数は、カム１０２８ｂが再びローラ１０３３と干渉しないようなパルス数である。
【００３３】
本実施の形態では、駆動源Ａ１のカム１０２８ｂのホームポジションは約１５０度程度に設定してあり、嵌合終了検出を図７のＳ１（９０度以内）内で確実に行うことができるので、その後、パルスモータ１０１３を正確に所定パルス分回転させることにより、カム１０２８ｂをホームポジションに確実に停止させることができる。
【００３４】
＜記憶媒体収納用ソケットが着脱される情報処理装置＞
次に、上述した記憶媒体収納用ソケットの記憶媒体を外部記憶媒体として使用する情報処理装置の構成を説明する。図８は情報処理装置１５００の概略構成を示すブロック図である。情報処理装置１５００は、情報処理装置各部の制御を司る中央処理装置１５０１、中央処理装置１５０１が実行するプログラム及び固定データを格納したＲＯＭ１５０２、中央処理装置１５０１の作業領域及び一時記憶領域として使用されるＲＡＭ１５０３、外部記憶媒体の接続及びインタフェースを司る接続部１５０４、キーボード、ポインティングデバイス等の操作部１５０５、ディスプレイ等の表示部１５０６を備えている。
【００３５】
ソケット本体Ａ２に記憶媒体１００６を収納した外部記憶媒体としての記憶媒体収納用ソケット１６００のコネクタ１００１（図１参照）は、上記図５に示したような構成により、情報処理装置１５００の接続部１５０４に着脱自在に接続される。情報処理装置１５００の中央処理装置１５０１は、接続部１５０４を介して、記憶媒体収納用ソケット１６００のソケット本体Ａ２及び記憶媒体１００６に対する電力の供給、電気的制御、記憶媒体１００６に対するデータの書き込み・読み出しを行う。ソケット本体Ａ２に収納された記憶媒体１００６は、必要に応じて上述した排出動作によりソケット本体Ａ２から排出し、別の記憶媒体と交換することができる。
【００３６】
以上説明したように、第１の実施の形態によれば、ソケット本体Ａ２に駆動源Ａ１を装着することで、ソケット本体Ａ２からの記憶媒体１００６の手動排出及び電動排出を選択的に選べるようにすることができ、フレキシビリティーを高くすることができる。また、駆動源とソケット本体が分離不可能で駆動源を収納できる大きさの外装となっている従来構造と比較し、記憶媒体の電動排出が可能なソケット本体Ａ１を小さいスペースで構成することが可能となり、スペース効率を向上させることができる。
【００３７】
［第２の実施の形態］
次に、本発明の第２の実施の形態を説明する。第２の実施の形態は、二つのソケット本体の駆動源として一つの駆動源を共有する場合の例である。図９はソケット本体Ａ２にソケット本体Ａ２’を積み重ね固定したときの様子を示す斜視図である。ソケット本体Ａ２とソケット本体Ａ２’は全く同じ形状及び構成を有するものであり、また、ソケット本体Ａ２とソケット本体Ａ２’の駆動源は共通の駆動源Ｂ１を使用するものである。説明の便宜上、１段目のソケット本体の上段に新たに積み重ねられたソケット本体に’を付けて区別するものとする。また、記憶媒体１００６と記憶媒体１００６’も同一形状で同じ構成であるが、ソケット本体Ａ２’に挿入される記憶媒体を１００６’とし、ソケット本体Ａ２に挿入される記憶媒体を１００６として区別するものとする。
【００３８】
更に、ソケット本体Ａ２とソケット本体Ａ２’は同じ形状であるので、構造についてはソケット本体Ａ２についてのみ説明をする。また、ソケット本体Ａ２はソケット本体Ａ２’に固定している時は一体とみなせるし、ソケット本体Ａ２をソケット本体Ａ２’に固定しないで分離可能にしておけば別体とみなすこともできる。
【００３９】
図９において、駆動源Ｂ１は、上記第１の実施の形態の駆動源Ａ１におけるカム付きギア１０２８を取り除き、新たに二段カム２０２８に置き換え、軸１０３０ｂを二段カム２０２８の幅に応じて伸ばした構成になっている。駆動源Ｂ１における前記以外の部品は駆動源Ａ１と同じである。二段カム２０２８の下段を構成するカム２０２８ｂはソケット本体Ａ２の排出機構を駆動し、二段カム２０２８の上段を構成するカム２０２８ｃはソケット本体Ａ２’の排出機構を駆動する。図９の状態で、カム２０２８ｂ及びカム２０２８ｃは、各々対応する各ソケット本体Ａ２、Ａ２’のローラとは干渉していない位置で停止している。その位置をホームポジションと呼ぶ（ローラについては第１の実施の形態のソケット本体のものと同じであるので説明は省略する）。
【００４０】
二段カム２０２８における片方のカムが該カムに対応する排出機構に駆動力を伝達しているとき、二段カム２０２８におけるもう片方のカムは該カムに対応する排出機構に駆動力を伝達しないように構成されている。従って、ある角度範囲で二段カム２０２８が図９のＣＷ方向またはＣＣＷ方向に回転すると、ソケット本体Ａ２及びソケット本体Ａ２’に選択的に駆動力を伝達し、ソケット本体Ａ２及びソケット本体Ａ２’に各々収納された記憶媒体１００６、１００６’を排出することができる。具体的には、二段カム２０２８が図９のＣＷ方向に所定の角度回転すると、ソケット本体Ａ２に収納された記憶媒体１００６の排出を行い、二段カム２０２８が図９のＣＣＷ方向に所定の角度回転すると、ソケット本体Ａ２’に収納された記憶媒体１００６’の排出を行う。
【００４１】
また、ＣＷ方向、ＣＣＷ方向のどちらでも構わないが、二段カム２０２８が３６０度回転すると、双方のソケット本体Ａ２、Ａ２’に駆動力を伝達し、双方の記憶媒体１００６、１００６’とも排出する。更に、二段カム２０２８の回転方向であるＣＷ方向またはＣＣＷ方向を選択的に切り替えれば、二つの記憶媒体１００６、１００６’の排出順序を替えることも可能である。
【００４２】
上記で説明したように各ソケット本体Ａ２、Ａ２’から記憶媒体１００６、１００６’を各々排出したら、直ちに二段カム２０２８をホームポジションに戻すことによって、各ソケット本体Ａ２、Ａ２’は再び記憶媒体１００６、１００６’を各々収納できる状態を保つことができる。
【００４３】
以上説明したように、第２の実施の形態によれば、ソケット本体Ａ２に同一形状の別のソケット本体Ａ２’を積み重ねて使用する場合、双方のソケット本体Ａ２、Ａ２’の駆動源として一つの駆動源Ｂ１を共有することができ、およそ駆動源一つ分のコストを下げることができ経済的である。また、どちらのソケット本体に関しても手動排出及び電動排出を行うことができ、更に、片方のソケット本体を手動排出専用に、もう片方のソケット本体を電動排出にすることもでき、使い勝手を向上させることができる。
【００４４】
［第３の実施の形態］
次に、本発明の第３の実施の形態を説明する。第３の実施の形態は、上記第２の実施の形態における二段カム２０２８がカム２０２８ｂとカム２０２８ｃに分割できる場合の例である。図１０は駆動源Ｂ１における二段カム２００８を分解したときの様子を示す斜視図である。上記第２の実施の形態では、ソケット本体Ａ２の上段に別のソケット本体を積み重ねずにソケット本体Ａ２を単独で使用するとき、駆動源Ｂ１の二段カム２０２８及び軸１０３０ｂがソケット本体Ａ２の上面よりも出っ張ってしまい余計なスペースをとる。それを改良したのが第３の実施の形態である。
【００４５】
図１０において、二段カム２０２８を構成する上段のカム２０２８ｃはピン２００１ａ、２００１ｂを有し、二段カム２０２８を構成する下段のカム２０２８ｂは穴２００２ａ、２００２ｂを有する。カム２０２８ｃのピン２００１ａをカム２０２８ｂの穴２００２ａに、カム２０２８ｃのピン２００１ｂをカム２０２８ｂの穴２００２ｂにそれぞれ挿入して位置決めすることで、カム２０２８ｃとカム２０２８ｂを図１０の矢印方向に結合することができる。カム２０２８ｃとカム２０２８ｂを結合すると、見かけ上、上記第２の実施の形態の二段カム２０２８と同じ形状をなす。
【００４６】
また、図１０に示すように、軸２００６に予めネジ穴２００５をあけておき、軸２００７に一体に形成されたネジ２００４をネジ穴２００５に嵌合させ、カム２０２８ｃの回転軸を形成する。また、軸２００７は溝を有しており、軸２００７にＥリングを装着することで、二段カム２０２８を構成するカム２０２８ｂ及びカム２０２８ｃの結合方向の抜け止めとなる。このように、カム２０２８ｂ及びカム２０２８ｃは一体となり、カム２０２８ｂが回転するとカム２０２８ｃは連れ回りする。
【００４７】
以上説明したように、第３の実施の形態によれば、ソケット本体Ａ２を単体で使うときには、二段カム２０２８を構成する下段のカム２０２８ｂ及び軸２００６を使用し、ソケット本体Ａ２の上部にソケット本体Ａ２’を増設して使用するときには、二段カム２０２８を構成する上段のカム２０２８ｃを軸２００７により下段のカム２０２８ｂに結合すれば良い。こうすることによって、ソケット本体Ａ２の状態に応じて駆動源Ｂ１の幅を自在に調節することができ、駆動源Ｂ１を装着した際のソケット本体Ａ２を含めた大きさを最小限にとどめることができる。
【００４８】
［第４の実施の形態］
次に、本発明の第４の実施の形態を説明する。第４の実施の形態は、上記第２の実施の形態における二段カム２０２８を別の構造とした場合の例である。図１１は上記図９で示した二段カム２０２８の他の実施形態であるところの二段カム３００７の構成を示す断面図である。図示のものは軸３００５の軸方向に沿う縦断面である。尚、図１１の二段カム及び該二段カムの構成部品の符号は説明の都合上、上記図９の二段カム及び該二段カムの構成部品の符号とは変えてある。
【００４９】
二段カム３００７を構成するカム３００４は、上記図９における駆動源Ｂ１に用いられ、ソケット本体Ａ２の排出機構を駆動し、二段カム３００７を構成するカム３００３は、ソケット本体Ａ２’の排出機構を駆動する。カム３００４及びカム３００３には、それぞれワンウェイクラッチ３００２、３００１が圧入固定されている。ワンウェイクラッチ３００２、３００１は、例えば特開平０９−０８９５０９号公報で提案されているものと同様であり、回転軸の回転トルクを一方向に伝達または遮断するものである（空転する際でも多少のトルクが伝達することがあるが、無視できるほどであるのでここでは考えないことにする）。
【００５０】
回転軸３００８及びギア３００４は、一体となって軸３００５を回転軸として回転する。更に、回転軸３００８の円筒部の外面は、ワンウェイクラッチ３００２及びワンウェイクラッチ３００１の回転軸となっている。ワンウェイクラッチ３００２及びワンウェイクラッチ３００１は、ギア３００４と一体に形成された円筒状の回転軸３００８のある方向の回転に対しては噛合し連れ回りをし、回転軸３００８のもう一方の回転方向に対しては空転する。
【００５１】
ワンウェイクラッチ３００２及びワンウェイクラッチ３００１の回転力の伝達方向は逆にしてあるので、回転軸３００８の任意の回転方向に対してワンウェイクラッチ３００２またはワンウェイクラッチ３００１のどちらか一方が回転軸３００８と連れ回りし回転する。更に、どちらかのワンウェイクラッチが回転すると、ワンウェイクラッチに一体となった上記カムが回転する。従って、ギア３００４から伝達された回転力の回転方向に応じて、カム３００３またはカム３００４に対する駆動力の伝達を切り替えることができる。
【００５２】
第４の実施の形態の駆動源Ｂ１では、上記図３で示したようなマイクロスイッチ１０２９は不要である。なぜなら、駆動源Ｂ１のギア３００４の回転方向が一定ならばどちらか一方のカムしか回転しないので、カムの角度制御によって駆動力の伝達を切り替える必要はないからである。従って、駆動源Ｂ１のギア３００４をどちらかの回転方向に少なくとも１回転させるという簡単な制御で、各ソケット本体Ａ２、Ａ２’に選択的に駆動力を伝えることができるようになる。
【００５３】
また、上記図１０の駆動源Ｂ１においては、位置制御がしやすいようにパルスモータ（ステッピングモータ）１０１３を用いたが、第４の実施の形態のように駆動源Ｂ１のギア３００４により各ソケット本体Ａ２、Ａ２’に対する駆動力を切り替えることができるので、ＤＣモータ、超音波モータ、プランジャなど他の動力供給源であっても、ギア３００４の回転方向を自在に変えることができ且つ各方向に少なくとも一回転以上させられるものであれば、選択的にソケット本体Ａ２、Ａ２’を駆動できることとなる。
【００５４】
以上説明したように、第４の実施の形態によれば、駆動源Ｂ１のギア３００４をどちらかの回転方向に少なくとも１回転させるという簡単な制御で、各ソケット本体Ａ２、Ａ２’に選択的に駆動力を伝えることができる。
【００５５】
［他の実施の形態］
第１の実施の形態では、本発明の記憶媒体収納用ソケットを着脱自在に装着する情報処理装置の例を図８に示したが、記憶媒体収納用ソケットを着脱自在に装着する情報処理装置の種類は特定のものに限定されるものではなく、デスクトップ型コンピュータ、ノート型コンピュータなど各種の情報処理装置に適用することが可能である。
【００５６】
第２乃至第４の実施の形態では、２つのソケット本体Ａ２、Ａ２’を単一の駆動原Ｂ１によって駆動する時の例を示したが、ソケット本体が二つのスロットルを有すると共に各スロットル毎に排出機構を有し、各排出機構を単一の駆動源で駆動するように構成することも可能である。
【００５７】
【発明の効果】
以上説明したように、本発明によれば、ソケット本体に駆動源を装着することで、ソケット本体からの記憶媒体の手動排出及び電動排出を選択的に選べるようにすることができ、フレキシビリティーを高くすることができる。また、駆動源とソケット本体が分離不可能で駆動源を収納できる大きさの外装となっている従来構造と比較し、電動排出が可能なソケット本体を小さいスペースで構成することが可能となり、スペース効率を向上させることができる。
【００５８】
また、本発明によれば、ソケット本体に同一形状の別のソケット本体を積み重ねて使用する場合でも、駆動源が一つで済むため、二段重ねのソケット本体において一つの駆動源を共有することができ、およそ駆動源一つ分のコストを下げることができ経済的である。また、どちらのソケット本体に関しても手動排出及び電動排出を行うことができ、更に、片方のソケット本体を手動排出専用に、もう片方のソケット本体を電動排出にすることもでき、使い勝手を向上させることができる。
【図面の簡単な説明】
【図１】本発明の第１の実施の形態に係る記憶媒体収納用ソケットを構成する記憶媒体及びソケット本体Ａ２を上面側から見た場合の斜視図である。
【図２】第１の実施の形態に係る記憶媒体及びソケット本体Ａ２を背面側から見た場合の斜視図である。
【図３】第１の実施の形態に係る駆動源Ａ１の構成を示す斜視図である。
【図４】第１の実施の形態に係る駆動源Ａ１がソケット本体Ａ２に装着されたときの様子を示す斜視図である。
【図５】第１の実施の形態に係る駆動源Ａ１のソケット本体Ａ２への機械的、電気的着脱の様子を示す概略図であり、（Ａ）は駆動源Ａ１がソケット本体Ａ２に装着された状態、（Ｂ）は駆動源Ａ１がソケット本体Ａ２から分離された状態である。
【図６】第１の実施の形態に係る記憶媒体のソケット本体Ａ２への着脱の様子を示す斜視図であり、（Ａ）はソケット本体Ａ２に記憶媒体が収納されたときの状態、（Ｂ）はソケット本体Ａ２が記憶媒体を排出したときの状態である。
【図７】第１の実施の形態に係る駆動源Ａ１が備えるカムのカム線図を示す概略図である。
【図８】第１の実施の形態に係る情報処理装置の概略構成を示すブロック図である。
【図９】本発明の第２の実施の形態に係る駆動源Ｂ１を装着したソケット本体Ａ２の上にソケット本体Ａ２’を重ねたときの様子を示す斜視図である。
【図１０】本発明の第３の実施の形態に係る駆動源Ｂ１の構成を示す斜視図である。
【図１１】本発明の第４の実施の形態に係る駆動源Ｂ１の二段カムの構成を示す断面図である。
【符号の説明】
１００３　第二のコネクタ（本体側コネクタ）
１００６、１００６’　記憶媒体
１００６ｂ　第一のコネクタ（媒体側コネクタ）
１００８　回転板金（排出手段、第一の排出手段、第二の排出手段）
１０１３　パルスモータ（動力供給源）
１０１４　伝達部材（排出手段、第一の排出手段、第二の排出手段、伝達手段、第一の伝達手段、第二の伝達手段）
１０１５　手動イジェクトボタン
１０１８　被伝達部
１０１９　スライド板金（排出手段、第一の排出手段、第二の排出手段）
１０２８　カム付きギア（係合手段、第一の係合手段、第二の係合手段）
１０２８ｂ　カム
１０２９　マイクロスイッチ（位置検出手段）
１０３３　ローラ
１０３９　コネクタ
１０４０　コネクタ（電気的着脱手段）
１０４３　子基板
１０４２ａ、１０４２ｂ　ボス
１０４１ａ、１０４１ｂ　ネジ（機械的着脱手段）
１５００　情報処理装置
１５０１　中央処理装置
１５０２　接続部（接続手段）
１６００　記憶媒体収納用ソケット
２０２８　二段カム
２０２８ｃ、２０２８ｂ　カム
３００１、３００２　ワンウェイクラッチ（駆動切り替え手段）
３００３、３００４　カム
３００７　二段カム
Ａ１、Ａ１’、Ｂ１　駆動源
Ａ２、Ａ２’　ソケット本体
【図１】
2004030078.tif 000003
【図２】
2004030078.tif 000004
【図３】
2004030078.tif 000005
【図４】
2004030078.tif 000006
【図５】
2004030078.tif 000007
【図６】
2004030078.tif 000008
【図７】
2004030078.tif 000009
【図８】
2004030078.tif 000010
【図９】
2004030078.tif 000011
【図１０】
2004030078.tif 000012
【図１１】
2004030078.tif 000013